(57)【特許請求の範囲】
【請求項１】
感知器に接続する受信回路と、内部動作を統制する制御回路と、制御回路に指示を与えるための操作用マンマシンインタフェース回路と、制御回路の指示に基づいて受信回路の出力信号に応じた警報を報知する報知用マンマシンインターフェース回路と、を備える警報装置において、前記受信回路と前記制御回路との間で授受される第１の信号情報と、前記操作用マンマシンインタフェース回路と前記制御回路との間で授受される第２の信号情報と、前記報知用マンマシンインターフェース回路と前記制御回路との間で授受される第３の信号情報とを、発生順に監視処理する、監視用マイコンを設け、この監視用マイコンには、その内部にタイマーＩＣを備え、第１乃至３の信号情報を発生順に蓄積する記憶装置を付加し、同監視用マイコンは、制御回路の各入出力部に変化が生じるとその発生時刻データとその変化状態データとをセットにした解析用情報を記憶装置に発生順に出力するものであり、この記憶装置内に蓄積されている解析用情報を読み出すためのトラブル解析装置が接続される読み出しポートを付加したことを特徴とする警報装置。
【請求項２】
感知器に接続する受信回路と、内部動作を統制する制御回路と、制御回路に指示を与えるための操作用マンマシンインタフェース回路と、制御回路の指示に基づいて受信回路の出力信号に応じた警報を報知する報知用マンマシンインターフェース回路と、を備える警報装置において、前記受信回路と前記制御回路との間で授受される第１の信号情報と、前記操作用マンマシンインタフェース回路と前記制御回路との間で授受される第２の信号情報と、前記報知用マンマシンインターフェース回路と前記制御回路との間で授受される第３の信号情報とを、発生順に監視処理する、監視用マイコンを設け、この監視用マイコンには、その内部にタイマーＩＣを備え、第１乃至３の信号情報を発生順に蓄積する記憶装置を付加し、同監視用マイコンは、制御回路の各入出力部に変化が生じるとその発生時刻データとその変化状態データとをセットにした解析用情報を記憶装置に発生順に出力するものであり、この記憶装置内に蓄積されている解析用情報を印字記録するためのプリンターが接続されるプリンターポートを付加したことを特徴とする警報装置。
【請求項３】
前記記憶装置は記憶容量内で最新の前記第１乃至３の信号情報を蓄積する請求項１または２記載の警報装置。
【発明の詳細な説明】
【０００１】
【発明の属する技術分野】
本発明はマイコンを搭載した警報装置に関する。
【０００２】
【従来の技術】
近時の家庭には安全確保のための警報装置が設置される場合が多い。例えば警報装置として、火災感知器、ガス漏れ感知器、防犯感知器などと接続され、各種感知器の発報信号を受信して、火災・ガス漏れ・侵入警報を、鳴動音（音声メッセージをも含む）や警報表示（液晶表示による文字情報や映像情報をも含む）として報知するものがある。これらの警報装置の殆どは、制御回路としてマイコンを備えている。
【０００３】
上述のような警報装置の設計や製造にあっては、厳重な品質管理が行われる。それにもかかわらず、実運用時には、時として、原因不明としか言いようのない誤報や失報を生じる場合がある。このような原因不明のように思える誤報や失報であっても、何らかの原因が必ず存在する筈であり、この何らかの原因を常に探究し見つけ出し、少しでも実運用時における原因不明と思われる誤報や失報を無くす改善努力が日夜行われている。
【０００４】
【発明が解決しようとする課題】
しかしながら、上述のような誤報や失報の原因を探ろうとしても、実運用時における現場状況を、完全には再現することができない。そのため、真の原因を見つけ出すことがなかなか難しいという問題点があった。
【０００５】
本発明は上記の問題点を解決するために成されたもので、その目的とするところは、原因不明と思われる誤報や失報が生じた場合であっても、原因究明の行い易い、優れた警報装置を提供することにある。
【０００６】
【課題を解決するための手段】
本発明は上記の問題点を解決するため、請求項１記載の発明にあっては、感知器に接続する受信回路と、内部動作を統制する制御回路と、制御回路に指示を与えるための操作用マンマシンインタフェース回路と、制御回路の指示に基づいて受信回路の出力信号に応じた警報を報知する報知用マンマシンインターフェース回路と、を備える警報装置において、前記受信回路と前記制御回路との間で授受される第１の信号情報と、前記操作用マンマシンインタフェース回路と前記制御回路との間で授受される第２の信号情報と、前記報知用マンマシンインターフェース回路と前記制御回路との間で授受される第３の信号情報とを、発生順に監視処理する、監視用マイコンを設け、この監視用マイコンには、その内部にタイマーＩＣを備え、第１乃至３の信号情報を発生順に蓄積する記憶装置を付加し、同監視用マイコンは、制御回路の各入出力部に変化が生じるとその発生時刻データとその変化状態データとをセットにした解析用情報を記憶装置に発生順に出力するものであり、この記憶装置内に蓄積されている解析用情報を読み出すためのトラブル解析装置が接続される読み出しポートを付加したことを特徴とする。
【０００７】
請求項２記載の発明にあっては、感知器に接続する受信回路と、内部動作を統制する制御回路と、制御回路に指示を与えるための操作用マンマシンインタフェース回路と、制御回路の指示に基づいて受信回路の出力信号に応じた警報を報知する報知用マンマシンインターフェース回路と、を備える警報装置において、前記受信回路と前記制御回路との間で授受される第１の信号情報と、前記操作用マンマシンインタフェース回路と前記制御回路との間で授受される第２の信号情報と、前記報知用マンマシンインターフェース回路と前記制御回路との間で授受される第３の信号情報とを、発生順に監視処理する、監視用マイコンを設け、この監視用マイコンには、その内部にタイマーＩＣを備え、第１乃至３の信号情報を発生順に蓄積する記憶装置を付加し、同監視用マイコンは、制御回路の各入出力部に変化が生じるとその発生時刻データとその変化状態データとをセットにした解析用情報を記憶装置に発生順に出力するものであり、この記憶装置内に蓄積されている解析用情報を印字記録するためのプリンターが接続されるプリンターポートを付加したことを特徴とする。
【０００９】
請求項３記載の発明にあっては、前記記憶装置は記憶容量内で最新の前記第１乃至３の信号情報を蓄積する。
【００１２】
【発明の実施の形態】
以下、本発明に係る警報装置の一実施の形態を図１および図２に基づいて詳細に説明する。図１は警報装置を示すブロック図、図２は監視用マイコンにより監視処理されたデータ構成図である。
【００１３】
図１に示すように、警報装置１は、受信回路１０と、制御回路に相当する中央処理回路１１と、操作用マンマシンインタフェース回路に相当する警戒解除セット釦１２と、報知用マンマシンインタフェース回路１３と、監視用マイコン１４と、記憶装置１５と、読み出しポート１６とを備える。
【００１４】
受信回路１０は、台所などに設置される火災感知器Ｓ1 およびガス漏れ感知器Ｓ2 あるいは玄関や勝手口などに設置される防犯感知器Ｓ3 に信号線Ｌを介して接続され、感知器Ｓ1,Ｓ2,Ｓ3 から出力される発報信号を監視する。中央処理回路１１は、警報装置１の全体を制御する部分であり、マイクロプロセッサを含んで構成される。警戒解除セット釦１２は、押圧する毎にオン・オフを反転するスイッチにて構成され、運用者が中央処理回路１１に対して警戒状態にするのか解除状態にするのかを指示するためのものとして使用される。
【００１５】
報知用マンマシンインタフェース回路１３は、中央処理回路１１の取り扱うデジタルデータを人が認識できる報知情報に変換して出力する部分であり、音声回路１３a と、スピーカ１３b と、警報表示部１３c と、移報接点出力回路１３d とを備える。音声回路１３a は、中央処理回路１１からの指示に基づいた音声メッセージの音声信号をスピーカ１３b に出力する。音声メッセージとしは、例えば『火災が発生しました』『ガス漏れが発生しました』などがある。警報表示部１３c は、中央処理回路１１の指示に基づいて点灯する発光ダイオードにて構成され、例えば、火災発生時には赤色点灯を、ガス漏れ発生時には橙色点灯を、防犯警報発生時には赤色点滅点灯を行う。移報接点出力回路１３d は、感知器Ｓ1,Ｓ2,Ｓ3 のいずれかが発報すれば移報接点出力をオンする。
【００１６】
監視用マイコン１４は、中央処理回路１１の動作を監視するための監視入力部Ｐ1,…Ｐ6 を備える。監視用マイコン１４は、内部に、タイマーＩＣ（図示せず）を備える。監視用マイコン１４の各監視入力部Ｐ1,…Ｐ6 は、中央処理回路１１の入出力部に接続する。監視用マイコン１４は、中央処理回路１１の入出力部に変化が生じると、その発生時刻データとその変化状態データとをセットにした解析用情報を、記憶装置１５に発生順に出力する。解析用情報は、図２に示すように、２バイトの時刻データと６バイトの状態データとがセットにされている。
【００１７】
６バイトの状態データとしては、例えば最上位ビット側から、警戒状態、移報接点出力回路状態、火災感知器からの発報信号の有無状態、火災発生の音声メッセージ出力の指示信号の有無状態、火災発生の表示出力の指示信号の有無状態、…とされる。
【００１８】
記憶装置１５は、監視用マイコン１４の出力する解析用情報を逐次記憶するとともに、所定の記憶容量を超えると古い解析用情報から逐次消去する。読み出しポート１６は、警報装置１が原因不明の誤報や失報を生じた場合、サービス員が持参するトラブル解析装置を接続できるようにされており、記憶装置１５内に蓄積されている解析用情報をトラブル解析装置に吸い上げることができる。読み出しポート１６は、例えばモジュラー端子などにて構成される。
【００１９】
上述のように構成される警報装置１は、次のように動作するとともに次のように使用される。すなわち、警戒解除セット釦１２が操作されて、警報装置１が解除状態から警戒状態に変化する場合にあっては、監視用マイコン１４は記憶装置１５に次のような解析用情報を記憶する。
【００２０】
すなわち、警戒解除セット釦１２が操作され、警戒解除セット釦１２のスイッチ接点がオフ状態からオン状態に変化したとすると、監視用マイコン１４はこの変化を監視入力部Ｐ1 から認識し、内蔵するタイマーＩＣ（図示せず）から現在の時刻データを読み取り、この時刻データと警戒解除セット釦１２のスイッチ接点がオン状態である旨のデータとをセットにした解析用情報を、記憶装置１５に記憶する。
【００２１】
また、中央処理回路１１は、警戒解除セット釦１２のスイッチ接点がオフ状態からオン状態に変化したことを検出すると、自分自身の動作モードを解除モードから警戒モードに切り換える。すると、監視用マイコン１４はこの動作モード変化を監視入力部Ｐ4 から認識し、内蔵するタイマーＩＣ（図示せず）から現在の時刻データを読み取り、この時刻データと中央処理回路１１の動作モードが警戒モード状態である旨のデータとをセットにした解析用情報を、記憶装置１５に記憶する。
【００２２】
その後、警報装置１が、スピーカ１３b から火災発生メッセージを出力するとともに、警報表示部１３c に火災発生した旨の赤色点灯を行ったものの、移報接点出力回路１３d の移報接点出力が出力されなかったためか原因不明ではあるが、とにかく外部への移報が行われなかったために火災被害が大きくなってしまったような場合、警報装置１のサービス員は、持参したトラブル解析装置を読み出しポート１６に接続してトラブル解析を開始する。
【００２３】
すると、記憶装置１５に蓄積されている解析用情報はトラブル解析装置により読み出され、サービス員はトラブル解析装置の表示内容から中央処理回路１１の動作を逆上って追跡することができる。そして、もしも、サービス員が、トラブル解析装置の表示内容から、火災の発生した時刻の付近で、中央処理回路１１が移報接点出力回路１３d に対して移報接点出力を行う旨の指示出力を行っていたことを確認できれば、少なくとも中央処理回路１１は正常に動作しており、移報接点出力が出力されなかった原因は移報接点出力回路１３d の故障か、あるいは、外部に設置されている移報接点出力を受信する側の機器装置に原因があったものと断定でき、調査範囲をある程度しぼることができる。
【００２４】
つまり、上述のような、警報装置にあっては、原因不明と思われる誤報や失報が生じた場合であっても、調査範囲をある程度しぼることができて原因究明が行い易く、次期商品開発に役立てることができる。
【００２５】
なお、本発明は上記の実施の形態に限定されるものではなく、前記読み出しポート１６をプリンターポートにしておき、中央処理回路１１の動作状況を逐次印字記録できるようにしておいても良く、そうすることによって、同じような誤報や失報が頻繁に発生するような場合にプリンターを接続し、印字記録を解析することによって調査範囲をある程度しぼることが可能となる。
【００２６】
【発明の効果】
本発明によれば、原因不明と思われる誤報や失報が生じた場合であっても、調査範囲をある程度しぼることができて原因究明が行い易い、次期商品開発に役立つ、優れた警報装置を提供できるという効果を奏する。
【００２７】
本発明によれば、タイマーＩＣを備えているので、上記の効果に加えて更に、時刻を正確に把握することができて原因究明が行い易い、優れた警報装置を提供できるという効果を奏する。
【００２８】
本発明によれば、記憶装置を備えているので、上記の効果に加えて更に、サービス員のみが解析することができ、運用者にとっては何らの支障にもならない、優れた警報装置を提供できるという効果を奏する。
【００２９】
請求項１記載の発明によれば、特に、トラブル解析装置を持参したサービス員のみが解析することができ、運用者にとっては何らの支障にもならず、トラブル解析装置を簡単に接続できる優れた警報装置を提供できるという効果を奏する。
【００３０】
請求項２記載の発明によれば、特に、トラブル解析装置が無くともプリンターの印字結果からトラブル解析のできる、優れた警報装置を提供できるという効果を奏する。
【００３１】
請求項３記載の発明によれば、請求項１または２記載の発明の効果に加えて更に、記憶装置の記憶容量をそれほど大きくする必要が無く、安価にして優れた警報装置を提供できるという効果を奏する。
【図面の簡単な説明】
【図１】本発明に係る警報装置の一実施の形態を示すブロック図である。
【図２】上記警報装置の監視用マイコンにより監視処理されたデータ構成図である。
【符号の説明】
１      警報装置
Ｓ1     感知器
Ｓ2     感知器
Ｓ3     感知器
１０    受信回路
１１    制御回路
１２    操作用マンマシンインタフェース回路
１３    報知用マンマシンインタフェース回路
１４    監視用マイコン
１５    記憶装置
１６    読み出しポート
【図１】
0003541574.tif 000002
【図２】
0003541574.tif 000003